(57)【要約】【課題】定型媒体を連結したロール紙を用いる発券装置において、定型媒体の後端が排出口に残留することを防止する手段を提供する。【解決手段】定型媒体１を隙間を介して連結部２で連結したロール紙３を供給するロール紙供給部１１と、ロール紙３を、連結部２を切断して定型媒体に分割するカッタ部１２と、カッタ部１２における連結部２の切断後に、搬送方向の前後端に突起部５が形成された定型媒体１を搬送する搬送路１３と、定型媒体１に印字情報を印字する印字ヘッド１７ａと、これに対向配置されたプラテンローラ１７ｂとを有し、印字後の定型媒体を排出する排出口１８に配置された印字部１７と、排出された定型媒体１を集積する、排出方向の上流側に下る方向に傾斜した集積板２１と、集積された定型媒体の後端を整位する整位板２２とを有する排出スタッカ２０とを備えた発券装置１０の、プラテンローラ１７ｂの外周面に、定型媒体１の後端の突起部５を排出方向に押出す凹凸部２５を設ける。【選択図】        図３
2010257312.tif 000002
【特許請求の範囲】
【請求項１】
定型媒体を隙間を介して連結部で連結したロール紙を供給するロール紙供給部と、
前記ロール紙供給部から供給されたロール紙を、前記連結部を切断して定型媒体に分割するカッタ部と、
前記カッタ部における前記連結部の切断後に、搬送方向の前後端に突起部が形成された定型媒体を搬送する搬送路と、
前記定型媒体に印字情報を印字する印字ヘッドと、前記印字ヘッドに対向配置されたプラテンローラとを有する印字部と、
印字後の前記定型媒体を排出する排出口に配置された排出ローラと、
排出された前記定型媒体を集積する、排出方向の上流側に下る方向に傾斜した集積板と、集積された前記定型媒体の後端を整位する整位板とを有する排出スタッカと、を備えた発券装置であって、
前記排出ローラの外周面に、前記定型媒体の後端の前記突起部を排出方向に押出す凹凸部を設けたことを特徴とする発券装置。
【請求項２】
請求項１において、
前記凹凸部を、前記排出ローラの外周面の一部に形成したことを特徴とする発券装置。
【請求項３】
請求項１または請求項２において、
前記印字部を前記排出口に配置し、前記プラテンローラを前記排出ローラとしたことを特徴とする発券装置。
【請求項４】
請求項１ないし請求項３のいずれか一項において、
前記排出スタッカの前記整位板に、前記定型媒体の後端の前記突起部を案内するガイド溝を設けたことを特徴とする発券装置。
【請求項５】
請求項１ないし請求項４のいずれか一項において、
前記搬送路の搬送方向を転向させる転向部に、前記定型媒体の前端の前記突起部を案内するテーパ部が形成されたテーパガイドを設けたことを特徴とする発券装置。
【請求項６】
請求項５において、
前記転向部は、前記搬送路の分岐部に設けた切替ブレードであることを特徴とする発券装置。
【請求項７】
請求項５において、
前記転向部は、前記搬送路の曲り部に設けた搬送ガイドであり、前記搬送ガイドの外側ガイド板に前記テーパガイドを設けたことを特徴とする発券装置。
【発明の詳細な説明】
【技術分野】
【０００１】
本発明は、鉄道等で用いられる乗車券等の媒体を発券する発券装置であって、特殊な形状の媒体を発券する発券装置に関する。
【背景技術】
【０００２】
従来の発券装置は、テープ状の連続紙からなるロール紙を供給するロール紙供給部と、ロール紙供給部から供給されたロール紙を所定の長さに切断するカッタ部と、カッタ部で切断されたカット紙を搬送する搬送路と、カット紙に磁気情報を書込み、書込まれた磁気情報を読取る２つの磁気ヘッドを有する磁気情報読取書込部と、カット紙に印字データを印字する印字ヘッドと、これに対向配置されたプラテンローラとを有する印字部と、印字後のカット紙を排出する排出口に配置された排出ローラと、排出されたカット紙を集積する、排出方向の上流側に下る方向に傾斜した集積板と、集積されたカット紙の後端を整位する整位板とを有する排出スタッカとを備え、ロール紙供給部から供給されたロール紙を、カッタ部で乗車券等の大きさに切断し、このカット紙を搬送路で搬送して、磁気情報読取書込部で磁気情報を書込み、印字部で印字した後に、印字後のカット紙を排出ローラで排出して排出スタッカ上に集積している（例えば、特許文献１参照。）。
【先行技術文献】
【特許文献】
【０００３】
【特許文献１】特開２００１−１８４５２９号公報（段落００２７−００２９、００３１、００３５、第１図、第４−７図）
【発明の概要】
【発明が解決しようとする課題】
【０００４】
しかしながら、上述した従来の技術においては、ロール紙供給部から供給されたロール紙を、カッタ部で発券時の大きさに切断して乗車券等を発券しているため、通常のテープ状の連続紙からなるロール紙を用いる場合には、問題が生ずることはないが、図２（ａ）に示すような、矩形の定型媒体１を隙間を介して連結部２で連結した特殊なロール紙３を用いる場合には、カッタ部で連結部２を切断すると、図２（ｂ）に示すように、切断後の定型媒体１の搬送方向の前後端に、連結部２の一部が残留して突起部５が形成され、以下のような問題が生ずる。
（１）定型媒体１を排出スタッカへ集積する際に、排出スタッカ上に既に定型媒体１が集積されている場合は、図８に示すように、排出される定型媒体１の排出方向の前端の突起部５が、既に集積されている定型媒体１の前端部に引っ掛かることがあり、排出ローラによる挟持が解除されて排出ローラと定型媒体１との摩擦力が低下した定型媒体１の後端が排出しきれずに排出口に残留し、後続の定型媒体１が追突してジャム等の搬送障害や整列不良を発生させるという問題がある。
（２）排出スタッカへ複数の定型媒体１を集積した場合に、集積が正常に終了しても、排出スタッカの集積板は、定型媒体１の幅に対して広く設定されているため、図９に示すように、集積された定型媒体１に幅方向のズレが発生してしまうという問題がある。
（３）定型媒体１を搬送する場合に、直線でない搬送路、つまり分岐部や曲り部においてスキューが発生しやすくなり、搬送途中でスキューが発生すると斜め印字等により印字品質が低下してしまうという問題がある。
【０００５】
このため、印字品質を確保するために、印字部の上流側に定型媒体１の搬送姿勢を修正する特別な機構を設けると、構成が複雑化すると共に製造コストが増加するという問題が生ずる。
【課題を解決するための手段】
【０００６】
本発明は、上記課題を解決するために、定型媒体を隙間を介して連結部で連結したロール紙を供給するロール紙供給部と、前記ロール紙供給部から供給されたロール紙を、前記連結部を切断して定型媒体に分割するカッタ部と、前記カッタ部における前記連結部の切断後に、搬送方向の前後端に突起部が形成された定型媒体を搬送する搬送路と、前記定型媒体に印字情報を印字する印字ヘッドと、前記印字ヘッドに対向配置されたプラテンローラとを有する印字部と、印字後の前記定型媒体を排出する排出口に配置された排出ローラと、排出された前記定型媒体を集積する、排出方向の上流側に下る方向に傾斜した集積板と、集積された前記定型媒体の後端を整位する整位板とを有する排出スタッカと、を備えた発券装置であって、前記排出ローラの外周面に、前記定型媒体の後端の前記突起部を排出方向に押出す凹凸部を設けたことを特徴とする。
【発明の効果】
【０００７】
これにより、本発明は、定型媒体に形成された突起部を利用して、排出ローラに形成された凹凸部の凸部により、突起部を排出スタッカへ確実に押出すことができ、定型媒体の後端が排出口に残留することを防止して、後続の定型媒体の追突による搬送障害や整列不良の発生を防止することができるという効果が得られる。
【図面の簡単な説明】
【０００８】
【図１】実施例１の発券装置の側面を示す説明図
【図２】実施例１のロール紙および定型媒体の上面を示す説明図
【図３】実施例１のプラテンローラの上面を示す説明図
【図４】実施例１のプラテンローラの作用を示す説明図
【図５】実施例１のプラテンローラの他の形態を示す説明図
【図６】実施例２の排出スタッカの上面を示す説明図
【図７】実施例３の切替ブレードの上面を示す説明図
【図８】従来の発券装置の問題点を示す説明図
【図９】従来の発券装置の問題点を示す説明図
【発明を実施するための形態】
【０００９】
以下に、図面を参照して本発明による発券装置の実施例について説明する。
【実施例１】
【００１０】
図１において、１０は発券装置である。
【００１１】
１１はロール紙供給部であり、図２に示す定型媒体１を隙間を介して連結部２で連結したロール紙３を収容すると共に、ロール紙３を供給する機能を有している。
【００１２】
１２はカッタ部であり、ロール紙供給部１１から供給されたロール紙３の連結部２を図２（ａ）に２点鎖線で示す連結部２の搬送方向の中央部で切断して定型媒体１に分割する機能を有している。
【００１３】
このカッタ部１２による連結部２の切断によって、図２（ｂ）に示すように、定型媒体１の搬送方向の前後端に、連結部２の一部が残留した突起部５が形成される。
【００１４】
１３は搬送路であり、図示しないモータ等の駆動装置により駆動され、ベルト対またはローラ対で定型媒体１を挟持して搬送する機能を備えている。
【００１５】
１４は転向部としての搬送ガイドであり、搬送路１３の曲り部１５に配置された定型媒体１の搬送方向を転向させる部位であって、曲り方向（転向方向）の外側に配置された外側ガイド板１４ａと、内側に配置された内側ガイド板１４ｂとが所定の間隔で対向配置されており、曲り部１５を搬送される定型媒体１の表裏の面を案内する機能を有している。
【００１６】
１６は搬送路１３の途中に設けられた磁気情報読取書込部であり、搬送路１３を搬送される定型媒体１に磁気情報を書込む書込ヘッド１６ａと、書込ヘッド１６ａの印字部１７側に配置された、書込まれた磁気情報を確認等のために読取る読取ヘッド１６ｂとを備えている。
【００１７】
印字部１７は、搬送路１３のカッタ部１２の反対側の端部に設けられた排出口１８に配置され、サーマルヘッド等の印刷ヘッド１７ａと、これに対向配置されたプラテンローラ１７ｂとを備えており、定型媒体１に媒体種別に応じた印字情報を印字する機能を有している。
【００１８】
また、本実施例のプラテンローラ１７ｂは、印字後の定型媒体１を排出口１８から排出する排出ローラとしての機能も有しており、本実施例の印字処理においては、発券処理速度短縮のために、プラテンローラ１７ｂを排出方向に回転させながら印字が行われる。
【００１９】
２０は排出スタッカであり、印字後にプラテンローラ１７ｂによって排出された定型媒体１を集積する、排出方向の上流側に向かって下る方向に傾斜した集積板２１と、集積された定型媒体１の後端を集積板２１の傾斜により当接させて整位する整位板２２とを有しており、その集積板２１は、図３に示すように、定型媒体１の幅（排出方向の直交方向の長さをいう。）に対して広くなるように形成されている。
【００２０】
２３は搬送路１３の分岐部に設けられた転向部としての切替ブレードであり、図示しないソレノイド等により回転支点２３ａを中心に回動し、磁気情報読取書込部１６から搬送された定型媒体１の搬送方向を印字部１７の方向へ転向させると共に、媒体挿入口２４から挿入された媒体の搬送方向を磁気情報読取書込部１６の方向へ転向させる機能を有している。
【００２１】
本実施例のプラテンローラ１７ｂの外周面には、その全周に亘って、図３に示すように、排出方向の直交方向に、複数の凹部と凸部とを交互に配置した凹凸部２５が、搬送される定型媒体１の後端のそれぞれの突起部５が通過する位置に合せて形成されており、その凸部によって定型媒体１の後端の突起部５を排出方向に押出す機能を有している。
【００２２】
上記の構成の作用について説明する。
【００２３】
本実施例の発券装置１０における定型媒体１の排出動作においては、図４に示すように、印字ヘッド１７ａとプラテンローラ１７ｂとの間に定型媒体１を挟持して印字し、印字を終えた定型媒体１を排出スタッカ２０へ排出する。
【００２４】
この印字の際に、プラテンローラ１７ｂの凹凸部２５の凸部が、印字ヘッド１７ａの押圧により押し潰されて凹部に入り込み、定型媒体１の後端の突起部５が、プラテンローラ１７ｂの挟持部を通過すると、印字ヘッド１７ａによる押圧が解除され、押し潰されていた凸部が元の状態に復帰し、その凸部が突起部５の端部を押して定型媒体１を排出スタッカ２０の方向へ押出し、印字を終えた定型媒体１を排出スタッカ２０へ確実に排出することができる。
【００２５】
このように、本実施例のプラテンローラ１７ｂには凹凸部２５が設けてあるので、定型媒体１の後端に形成された突起部５を利用して、凹凸部２５の凸部により後端の突起部５を排出方向に押出すことができ、定型媒体１の挟持による押圧が解除され、プラテンローラ１７ｂと定型媒体１との摩擦力が低下したとしても、突起部５を排出スタッカ２０へ確実に押出すことができ、定型媒体１の後端が排出口１８に残留することを防止して、後続の定型媒体１の追突による搬送障害や整列不良の発生を防止することができる。
【００２６】
また、本実施例の発券装置１０のように、プラテンローラ１７ｂを排出ローラとして機能させている場合には、定型媒体１の後端が排出口１８に残留すると、定型媒体１の後端は、まだ印字ヘッド１７ａの下側に位置しているので、後続する定型媒体１への印字情報が残留した定型媒体１の後端に印字される２重印字が懸念されるが、本実施例の凹凸部２５が形成されたプラテンローラ１７ｂは、定型媒体１を排出スタッカ２０へ確実に押出すことができるので、このような懸念も払拭することができる。
【００２７】
なお、本実施例では、プラテンローラ１７ｂは排出ローラの機能を兼ね備えているとして説明したが、印字部１７を搬送路１３の途中に配置して、排出口１８に専用の排出ローラを設け、その一方の排出ローラの外周面に上記した凹凸部２５を形成するようにしてもよい。このようにしても上記と同様に、排出ローラに形成された凹凸部２５の凸部により突起部５を排出スタッカ２０へ確実に押出すことができ、定型媒体１の後端が排出口１８に残留することを防止して、後続の定型媒体１の追突による搬送障害や整列不良の発生を防止することができる。
【００２８】
以上説明したように、本実施例では、印字後の定型媒体を排出する排出口に配置された排出ローラの外周面に、定型媒体の後端の突起部を排出方向に押出す凹凸部を設けたことによって、定型媒体に形成された後端の突起部を利用して、排出ローラに形成された凹凸部の凸部により突起部を排出スタッカへ確実に押出すことができ、定型媒体の後端が排出口に残留することを防止して、後続の定型媒体の追突による搬送障害や整列不良の発生を防止することができる。
【００２９】
また、印字後の定型媒体を排出する排出口に配置されたプラテンローラの外周面に、定型媒体の後端の突起部を排出方向に押出す凹凸部を設けたことによって、定型媒体に形成された後端の突起部を利用して、プラテンローラに形成された凹凸部の凸部により、突起部を排出スタッカへ確実に押出すことができ、定型媒体の後端が排出口に残留することを防止して、後続の定型媒体の追突による搬送障害や整列不良の発生を防止することができると共に、定型媒体の後端への２重印字を防止することができる。
【００３０】
なお、本実施例においては、プラテンローラ１７ｂの凹凸部２５は、プラテンローラ１７ｂの外周面の全周に亘って形成するとして説明したが、図５に示すように、凹凸部２５をプラテンローラ１７ｂの外周面の一部に形成するようにしてもよい。
【実施例２】
【００３１】
本実施例の説明においては、上記実施例１と同様の部分は、同一の符号を付してその説明を省略する。
【００３２】
本実施例の排出スタッカ２０の整位板２２には、図６に示すように、定型媒体１の集積方向に沿って、定型媒体１の後端の突起部５が当接する位置に、台形断面形状のガイド溝３０が形成され、その開口に向かって拡大する斜面３１が、突起部５の角部を案内するガイド面として機能する。
【００３３】
このような排出スタッカ２０に排出口１８から定型媒体１が排出された場合は、その定型媒体１は、排出方向の上流側に下る方向に傾斜した集積板２１上に落下し、集積板２１の傾斜によって整位板２２の方向へ移動する。
【００３４】
このとき、本実施例の整位板２２には、定型媒体１の後端の突起部５が当接する位置に、斜面３１が形成されたガイド溝３０が形成されているので、定型媒体１の後端の突起部５がその角部を斜面３１に案内されながら入り込み、幅方向の位置が整位されると共に、整位板２２によって排出方向の位置が整位される。
【００３５】
以上説明したように、本実施例の整位板には、台形断面形状のガイド溝を設けてあるので、定型媒体の後端に形成された突起部を利用して、集積板の傾斜によって移動する定型媒体の後端の突起部を案内して、幅方向の位置を確実に整位することができ、定型媒体の排出スタッカにおける整列性を向上させることができる。
【実施例３】
【００３６】
本実施例の説明においては、上記実施例１と同様の部分は、同一の符号を付してその説明を省略する。
【００３７】
本実施例の切替ブレード２３には、図７に示すように、定型媒体１の前端の突起部５が通過する位置に、突起部５の幅に遊嵌するスリット４０が形成され、そのスリット４０の搬送方向の上流側の端部の両側を、上流側に向かって拡大するテーパ形状にしたテーパ部４１が形成されたテーパガイド４２が設けられている。
【００３８】
このような切替ブレード２３に、図１に示す磁気情報読取書込部１６から印字部１７に向かって定型媒体１が搬送されると、切替ブレード２３が回転支点２３ａを中心に回動して定型媒体１の搬送方向を印字部１７の方向へ転向させる。
【００３９】
このとき、本実施例の切替ブレード２３には、スリット４０に、上流側に向かって拡大するテーパ部４１が形成されたテーパガイド４２が設けられているので、搬送中にスキューが生じた定型媒体１であっても、その前端が切替ブレード２３によって掬上げられるときに、転向方向の外側に位置するテーパガイド４２に定型媒体１の前端の突起部５が案内されて前端の位置が正常な位置に修正され、正常な搬送姿勢の定型媒体１が搬送路１３によって印字部１７に搬送される。
【００４０】
以上説明したように、本実施例の切替ブレードには、上流側に向かって拡大するテーパ部が形成されたテーパガイドを設けてあるので、定型媒体の前端に形成された突起部を利用して、切替ブレードによって搬送方向が転向される定型媒体の前端の突起部を案内して、前端の位置を正常な位置に修正することができ、正常な搬送姿勢で定型媒体を印字部へ搬送して、印字品位を向上させることができると共に、スキューした定型媒体の搬送姿勢を修正するための特別な機構を不要にして、発券装置の簡素化を図ることができる。
【００４１】
なお、本実施例においては、転向部は搬送路１３の分岐部に設けた切替ブレード２３であるとして説明したが、転向部は前記に限らず、搬送路１３の曲り部１５に設けた搬送ガイド１４等であってもよい。
【００４２】
この場合に、搬送ガイド１４の転向方向の外側に位置する外側ガイド板１４ａに上記のテーパガイド４２を設ければ、上記と同様の作用により、曲り部１５を通過した定型媒体１の搬送姿勢を、正常な搬送姿勢とすることができ、その下流に配置された磁気情報読取書込部１６における磁気情報の書込位置や読取位置を正常な位置として、磁気情報の書込不良または読取不良による定型媒体１の損失を防止することができる。
【符号の説明】
【００４３】
１    定型媒体
２    連結部
３    ロール紙
５    突起部
１０  発券装置
１１  ロール紙供給部
１２  カッタ部
１３  搬送路
１４  搬送ガイド
１４ａ  外側ガイド板
１４ｂ  内側ガイド板
１５  曲り部
１６  磁気情報読取書込部
１６ａ  書込ヘッド
１６ｂ  読取ヘッド
１７  印字部
１７ａ  印字ヘッド
１７ｂ  プラテンローラ
１８  排出口
２０  排出スタッカ
２１  集積板
２２  整位板
２３  切替ブレード
２３ａ  回転支点
２４  媒体挿入口
３０  ガイド溝
３１  斜面
４０  スリット
４１  テーパ部
４２  テーパガイド
【図１】
2010257312.tif 000003
【図２】
2010257312.tif 000004
【図３】
2010257312.tif 000005
【図４】
2010257312.tif 000006
【図５】
2010257312.tif 000007
【図６】
2010257312.tif 000008
【図７】
2010257312.tif 000009
【図８】
2010257312.tif 000010
【図９】
2010257312.tif 000011